(57)【要約】【課題】本考案は、下半身全体をわずかなエネルギーで暖めることができるという従来のコタツのメリットを活かすとともに、物書き等の仕事で使用する書斎机としても利用でき、かつ、ランニングコストが低廉な暖房器付き机であって、上掛けのセットが容易な暖房器付き机を提供する。【解決手段】天板、一対の側面板および背面板から構成される前面が開放された外筐体と、上面板、一対の側面内板から構成される前後面が開放された内筐体とからなり、該一対の側面板の前半部は該内筐体に対し回動自在に構成され、該天板と該上面板および該一対の側面板と一対の側面内板が形成する間隙に上掛けの一辺を挟入させて該上掛けが該内筐体の前面を被包するようにするとともに、該外筐体内の後半部に暖房器を設置する構成とした。【選択図】図１
0003127208.tif 000002
【実用新案登録請求の範囲】
【請求項１】
床面上にコの字形に組立てられる一対の側面板および背面板と該コの字形の上部に載置される略矩形の天板により構成される前面が開放された外筐体と、
前記外筐体内の前半部に固定され前記天板に対し所定の離間距離を有する上面板および前記一対の側面板に対し所定の離間距離を有する一対の側面内板により門型に構成される前後面が開放された内筐体と、からなり、
前記天板および前記上面板が上掛けの一辺が挟入される前面開放の上面挟入空間を形成し、前記一対の側面板および前記一対の側面内板が該上掛けの一辺が挟入される前面開放の側面挟入空間を形成し、
前記外筐体内の後半部に暖房器が設置される、ことを特徴とする暖房器付き机。
【請求項２】
前記天板は前記側面板と平行に前半部および後半部に二分割されて該天板の前半部は該天板の後半部に軸着、枢着または蝶着され該天板の前半部および／または該天板の後半部は前記外筐体に対し上下方向に回動自在に構成される、ことを特徴とする請求項１に記載の暖房器付き机。
【請求項３】
前記天板は前記外筐体に対し着脱自在または前記天板は前記外筐体の前記背面板側上部に軸着、枢着または蝶着されて上下方向に回動自在に構成される、ことを特徴とする請求項１に記載の暖房器付き机。
【請求項４】
前記一対の側面板は前記側面板と平行に前半部および後半部に二分割されて該側面板の前半部は該側面板の後半部に軸着、枢着または蝶着され該側面板の前半部は前記内筐体に対し左右方向に回動自在に構成される、ことを特徴とする請求項１ないし請求項３に記載の暖房器付き机。
【請求項５】
前記天板の後半部の裏面が前記一対の側面板の後半部の上端に当接して該天板は前記外筐体上部に固定され、
前記天板の前半部の下面には該天板の面に平行に上下移動が自在な上掛け押え棒が取着され前記上掛けは該上掛け押え棒に押圧されて前記上面挟入空間に固定されおよび／または該上面挟入空間に固着された雌雄一対の係止具の一方が前記上掛けの一辺に固着された該係止具の他方に係止されて固定され、
前記一対の側面板の前半部の上辺は該側面板の後半部の上辺よりも低く形成され、該一対の側面板の前半部の下辺は前記床面に対して所定の間隙を有している、ことを特徴とする請求項３または請求項４記載の暖房器付き机。
【請求項６】
前記外筐体内の後半部には前記一対の側面板間に底板が架設されている、ことを特徴とする請求項１ないし請求項５に記載の暖房器付き机。
【請求項７】
前記上面板は前記外筐体の後半部まで延伸し該上面板は前半部と後半部からなる、ことを特徴とする請求項１ないし請求項６に記載の暖房器付き机。
【請求項８】
前記一対の側面板の後半部、前記背面板、前記天板の後半部、前記底板および前記上面板の後半部のいずれか一つ以上は外板、断熱材および内板からなる三層構造の断熱パネルである、ことを特徴とする請求項６または請求項７に記載の暖房器付き机。
【請求項９】
前記断熱パネルの内板は遮熱材で構成されている、ことを特徴とする請求項８に記載の暖房器付き机。
【請求項１０】
前記外筐体の上部には該外筐体内と外部とが連通する着脱自在な空気貫通孔が穿設されている、ことを特徴とする請求項１ないし請求項９に記載の暖房器付き机。
【請求項１１】
前記一対の側面板の下端にはキャスターが取着されまたは前記床面上に設置された凸状のレールに嵌合する凹状の溝が刻設されて、机全体が該床面上を前後方向にスライド自在である、ことを特徴とする請求項１ないし請求項１０に記載の暖房器付き机。
【考案の詳細な説明】
【技術分野】
【０００１】
本考案は、下半身全体を暖めることのできる暖房器付きの机に関する。
【背景技術】
【０００２】
従来から使用されている暖房具にコタツがあるが、このコタツは畳に座る日本の生活習慣に適したものであり、下半身全体をわずかなエネルギーで暖めることができるというメリットがある。一方で、近年では、椅子に座る生活習慣が定着してきていることから、机に暖房器を組み込んだ考案が提案されていて、その一例として、「冬場のイス掛け机使用時の足元の冷えを予防する」ことを目的とした考案が実開平７−２５８４１号公報に開示されている。
【０００３】
この考案は、「イス掛け用机の下に電熱器を設け、机の下の背面、左右側面を壁等で覆う」構成とすることにより、その目的を達成しようとしたものであるが、机使用時の足元の冷えを予防するとはいっても、壁等に覆われていない机の前面から隙間風が入り込んだり、電熱器で暖められた暖気が机の前面から逃げたりして効率的に下半身全体を暖めることはできない。
【０００４】
このような不都合を解消するために、本出願人は、従来のコタツのメリットを活かし、かつ、椅子に座る習慣に配慮した、椅子に座った状態で使用することのできる暖房器付き机に関する３件の考案を出願していて、これらの考案は、それぞれ登録実用新案第３１１７９５２号公報、登録実用新案第３１２１５５７号公報、および登録実用新案第３１２３７８３号公報に開示されている。
【０００５】
登録実用新案第３１１７９５２号公報に開示の考案は、「コタツを、一対の側面板および背面板から構成される壁面と天板および底板から形成される筐体の内部に暖房器を設置し、前記の天板上に回動可能に甲板を重置し、前記の天板と甲板に上掛けの一辺を挟着させ、天板から垂れ下がった裾を側面板に固定する構成とする一方、椅子を、座板の周縁部から下方向に垂設される連続壁状の脚部からなり、かつ、前記の脚部を平板状の台上に固着し、前記の台が平板状の下敷き上を一方向にのみ移動できるように構成」している。
【０００６】
また、登録実用新案第３１２１５５７号公報に開示の考案は、「略矩形の天板と、前記天板の両側面部から垂設されて該天板を床面から支持する一対の側面断熱パネルと、前記天板の背面部にあって前記一対の側面断熱パネル間に架設される背面断熱パネルと、前記天板、前記一対の側面断熱パネルおよび前記背面断熱パネルとに囲繞された天板下空間内に設置される暖房器と、からなり、前記天板を背面側と前面側に２分割し、背面側の天板を数種類の天板と交換可能な構成」としている。
【０００７】
そして、登録実用新案第３１２３７８３号公報に開示の考案は、「上面板、一対の側面板および背面板から形成される前面のみが開放された天板下空間内の開放面側に、上面板および一対の側面板に所定の距離を隔てて平行に上面押え板および側面押え板を設け、上面板と上面押え板との間および側面板と側面押え板との間で上掛けの一辺を挟持させ、該上掛けが前記筐体の開放面を緩やかに被包するようにするとともに、前記天板下空間内に暖房器を設置する構成」としている。
【特許文献１】実開平７−２５８４１号公報
【特許文献２】登録実用新案第３１１７９５２号公報
【特許文献３】登録実用新案第３１２１５５７号公報
【特許文献４】登録実用新案第３１２３７８３号公報
【考案の開示】
【考案が解決しようとする課題】
【０００８】
しかしながら、登録実用新案第３１１７９５２号公報に開示の考案は、コタツの上で物書き等の仕事をする場合には、上掛けの上に敷板等の硬い板を載せる必要がある。また、天板の構成を「少なくとも１つの凹部が前記背面板に平行に形成され（前記天板上に重置され該天板と略同形の）甲板の該天板に相対する面には少なくとも１つの凸部が前記背面板に平行に形成されて、前記凹部と前記凸部とが互いに嵌合」することとしているので、上掛けを使用しない冬季以外の場合であっても、甲板上に敷板等の硬い板を載せる必要がある。
【０００９】
また、登録実用新案第３１２１５５７号公報に開示の考案では、天板の前面側下面および一対の側面断熱パネル前面側内面に固着された雌型面ファスナーに上掛けの辺縁に沿って縫着される雄型面ファスナーを係着させることにより、上掛けを暖房器付き机に係着させていて、上掛けは、暖房器付き机の前面部のみを覆うようになっている。すなわち、上掛けは、天板下空間内の暖気を逃さない役割を担っていて、上掛けの保温効果を有効に利用するものではない。
【００１０】
そして、登録実用新案第３１２３７８３号公報に開示の考案では、上面板と上面押え板とが形成する上面挟持空間および側面板と側面押え板とが形成する側面挟持空間に上掛けの一辺を挟持させるようにしているが、挟持させる方法として上面押え板および側面押え板を回動させるようにしているため、慣れないと、暖房器付き机に上掛けをセットするのに手間が掛かる場合がある。
【００１１】
そこで、本考案は、下半身全体をわずかなエネルギーで暖めることができるという従来のコタツのメリットを活かすとともに、物書き等の仕事で使用する書斎机としても利用でき、かつ、上掛けの保温効果を有効に利用することにより、ランニングコストが低廉な暖房器付き机であって、簡単に上掛けがセットできる暖房器付き机を提供することを目的とする。
【課題を解決するための手段】
【００１２】
上記課題を解決するために、請求項１に係る暖房器付き机は、床面上にコの字形に組立てられる一対の側面板および背面板と該コの字形の上部に載置される略矩形の天板により構成される前面が開放された外筐体と、前記外筐体内の前半部に固定され前記天板に対し所定の離間距離を有する上面板および前記一対の側面板に対し所定の離間距離を有する一対の側面内板により門型に構成される前後面が開放された内筐体と、からなり、前記天板および前記上面板が上掛けの一辺が挟入される前面開放の上面挟入空間を形成し、前記一対の側面板および前記一対の側面内板が該上掛けの一辺が挟入される前面開放の側面挟入空間を形成し、前記外筐体内の後半部に暖房器が設置される、ことを特徴している。
【００１３】
また、請求項２に係る暖房器付き机は、請求項１に記載の暖房器付き机であって、前記天板は前記側面板と平行に前半部および後半部に二分割されて該天板の前半部は該天板の後半部に軸着、枢着または蝶着され該天板の前半部および／または該天板の後半部は前記外筐体に対し上下方向に回動自在に構成される、ことを特徴としている。
そして、請求項３に係る暖房器付き机は、請求項１に記載の暖房器付き机であって、前記天板は前記外筐体に対し着脱自在または前記天板は前記外筐体の前記背面板側上部に軸着、枢着または蝶着されて上下方向に回動自在に構成される、ことを特徴としている。
【００１４】
さらに、請求項４に係る暖房器付き机は、請求項１ないし請求項３に記載の暖房器付き机であって、前記一対の側面板は前記側面板と平行に前半部および後半部に二分割されて該側面板の前半部は該側面板の後半部に軸着、枢着または蝶着され該側面板の前半部は前記内筐体に対し左右方向に回動自在に構成される、ことを特徴としている。
【００１５】
また、請求項５に係る暖房器付き机は、請求項３または請求項４記載の暖房器付き机であって、前記天板の後半部の裏面が前記一対の側面板の後半部の上端に当接して該天板は前記外筐体上部に固定され、前記天板の前半部の下面には該天板の面に平行に上下移動が自在な上掛け押え棒が取着され前記上掛けは該上掛け押え棒に押圧されて前記上面挟入空間に固定されおよび／または該上面挟入空間に固着された雌雄一対の係止具の一方が前記上掛けの一辺に固着された該係止具の他方に係止されて固定され、前記一対の側面板の前半部の上辺は該側面板の後半部の上辺よりも低く形成され、該一対の側面板の前半部の下辺は前記床面に対して所定の間隙を有している、ことを特徴としている。
【００１６】
そして、請求項６に係る暖房器付き机は、請求項１ないし請求項５に記載の暖房器付き机であって、前記外筐体内の後半部には前記一対の側面板間に底板が架設されている、ことを特徴としている。
【００１７】
さらに、請求項７に係る暖房器付き机は、請求項１ないし請求項６に記載の暖房器付き机であって、前記上面板は前記外筐体の後半部まで延伸し該上面板は前半部と後半部からなる、ことを特徴としている。
【００１８】
また、請求項８に係る暖房器付き机は、請求項６または請求項７に記載の暖房器付き机であって、前記一対の側面板の後半部、前記背面板、前記天板の後半部、前記底板および前記上面板の後半部のいずれか一つ以上は外板、断熱材および内板からなる三層構造の断熱パネルである、ことを特徴としている。
そして、請求項９に係る暖房器付き机は、請求項８に記載の暖房器付き机であって、前記断熱パネルの内板は遮熱材で構成されている、ことを特徴としている。
【００１９】
さらに、請求項１０に係る暖房器付き机は、請求項１ないし請求項９に記載の暖房器付き机であって、前記外筐体の上部には該外筐体内と外部とが連通する着脱自在な空気貫通孔が穿設されている、ことを特徴としている。
【００２０】
また、請求項１１に係る暖房器付き机は、請求項１ないし請求項１０に記載の暖房器付き机であって、前記一対の側面板の下端にはキャスターが取着されまたは前記床面上に設置された凸状のレールに嵌合する凹状の溝が刻設されて、机全体が該床面上を前後方向にスライド自在である、ことを特徴としている。
【考案の効果】
【００２１】
請求項１に係る考案では、前面が開放された外筐体および前後面が開放された内筐体により、上面挟入空間および側面挟入空間が形成され、これらの挟入空間に上掛けの一辺を挟入することにより上掛けが内筐体の前面を被包する、ことになる。このため、上掛けの保温効果を有効に利用することができ、暖房器が消費する電気代等のランニングコストを軽減することができる。さらに、暖房器の温度を６０℃以下に設定しても、十分に下半身を暖めることができる。
また、外筐体内の後半部に暖房器を設置することとしているので、上掛けは暖房器とは離れた場所に位置し、不用意に上掛けが暖房器に接触することはなく、防災上からも有効である。
【００２２】
請求項２に係る考案では、天板は前半部および後半部に二分割されて天板の前半部および／または天板の後半部は、一対の側面板および背面板からなる外筐体に対し上下方向に回動自在に構成されている。天板の前半部を回動自在にした場合には、上面挟入空間や側面挟入空間に上掛けを挟入させることが容易になる。また、天板の後半部を回動自在にした場合には、外筐体内の後半部に設置した暖房器のメンテナンスが容易になり、上面板を外筐体の後半部まで延伸した請求項７に記載の考案では、上面板と天板との間のスペースを物入れとして利用できる。
また、請求項３に係る考案では、天板は外筐体に対し着脱自在または天板は外筐体の背面板側上部に軸着等されて上下方向に回動自在に構成されているので、請求項２に係る考案と同様に上面挟入空間や側面挟入空間に上掛けを挟入させることが容易になる。
【００２３】
請求項４に係る考案では、一対の側面板は前半部および後半部に二分割されて一対の側面板の前半部は内筐体に対し左右方向に回動自在に構成されるので、請求項２および請求項３に係る考案と同様に上面挟入空間や側面挟入空間に上掛けを挟入させることが容易になるとともに、請求項２および請求項３に係る考案と組み合わせることにより、より一層容易になる。
【００２４】
請求項５に係る考案では、天板の前半部の下面には上下に移動自在な上掛け押え棒が取着され上掛けはこの上掛け押え棒に押圧されて固定される。および／または上面挟入空間に固着された雌雄一対の係止具の一方が上掛けの一辺に固着された該係止具の他方に係止されて上掛けが固定される。このため、上面挟入空間に挟入された上掛けは、上面挟入空間に強固に固定され、上掛けを引張っても暖房器付き机から抜け出すことはない。
また、一対の側面板の前半部の上辺は側面板の後半部の上辺よりも低く形成されているので、一対の側面板上に載置固定された天板に作用する荷重は、直接一対の側面板の前半部に掛かることがない。このため、一対の側面板の前半部と後半部の繋ぎ部分に過大な荷重が作用することがなく、繋ぎ部分の損傷を防ぐことができる。さらに、一対の側面板の前半部の下辺は床面に対して所定の間隙を有していて、上掛けの裾部分をこの間隙から暖房器付き机の外側に食み出させることにより、内筐体の前面を被包する上掛けは内筐体内では弛みのない状態で被包することになるので、上掛けは効率良く使用者の下半身を包み込むことになる。
【００２５】
請求項６に係る考案では、外筐体内の後半部には一対の側面板間に底板が架設されているので、外筐体自体の剛性が高くなるとともに、暖房器をこの底板上に設置することができる。
【００２６】
請求項７に係る考案では、上面板が外筐体の後半部まで延伸している。このため、外筐体の後半部の上部は、天板と上面板との二層構造となり、外筐体の保温性能が高くなるとともに、後半部まで延伸する上面板を一対の側面板および背面板に密着させることにより、前面以外の外筐体内の気密性は高くなる。
【００２７】
請求項８に係る考案では、一対の側面板の後半部、背面板、天板の後半部、底板および上面板の後半部のいずれか一つ以上は断熱パネルで構成されているので、より一層、外筐体の保温性能が高くなる。
また、請求項９に係る考案では、断熱パネルの内板を遮熱材で構成することとしているので、暖房器の輻射熱が反射されて使用者の脛などをやわらかく暖めることができる。
【００２８】
請求項１０に係る考案では、外筐体の上部には該外筐体内と外部とが連通する着脱自在な空気貫通孔が穿設されているので、暖房器を使用しない夏場などでは、外部に連通させた空気貫通孔により外筐体内が蒸れることがなく、通常の書斎机として使用することができる。
【００２９】
請求項１１に係る考案では、一対の側面板の下端にはキャスターが取着されまたは床面上に設置された凸状のレールに嵌合する凹状の溝が刻設されて、机全体が床面上を前後方向にスライド自在であるため、使用者は椅子に座った状態のまま暖房器付き机を移動させて最適の位置とすることができる。
【考案を実施するための最良の形態】
【００３０】
本考案を実施するための最良の形態に係る実施例について、図１ないし図５を基に説明する。ここで、図１は、実施例に係る暖房器付き机の全体図および使用状況図、図２は、実施例に係る暖房器付き机の側面図、図３は、実施例に係る暖房器付き机の前面図、図４は、図１のIV−IV矢視断面図、図５は、図１のＶ−Ｖ矢視断面図である。なお、図２ないし図５では、上掛けの図示を省略している。
【００３１】
図１ないし図５において、符号１は実施例に係る暖房器付き机、符号１０は外筐体、符号１２は天板、符号１２１は天板後半部、符号１２２は天板前半部、符号１２３は側面板押え板、符号１２４は側面板押えボルト、符号１２５は上掛け押え棒、符号１２６は上掛け押え棒移動ボルト、符号１４は側面板、符号１４１は側面板後半部、符号１４２は側面板前半部、符号１６は背面板、符号１６１は背面板本体、符号１６２は取外し自在部、符号１８は底板、符号３０は内筐体、符号３２は上面板、符号３２１は横架材、符号３４は側面内板、符号４２は上面挟入空間、符号４４は側面挟入空間、符号５０は暖房器、符号６０は上掛け、符号７０は椅子、である。
【００３２】
暖房器付き机１は、主に、外筐体１０と内筐体３０とから構成されている。
そして、外筐体１０は矩形の天板１２、一対の側面板１４、１４、矩形の背面板１６および矩形の底板１８とから構成されていて、垂直部材である一対の側面板１４、１４と矩形の背面板１６とが床面上にコの字形に組立てられ、上部に天板１２が載置され、下部に底板１８が架設された形状となっている。
【００３３】
天板１２は、天板後半部１２１および天板前半部１２２から構成される１枚の板であって、天板１２の側面周縁部からは角棒状の側面板押え板１２３が垂設されている。そして、側面板押え板１２３には、２個の螺入孔（図示外）が穿設されていて、この螺入孔に側面板押えボルト１２４が螺入され側面板押えボルト１２４の先端が側面板後半部１４１の表面に当接して天板１２が外筐体１０の上部に固定されるようになっている。
また、本実施例では、天板１２の前面周縁部および後面周縁部からも角棒状の板押え板が垂設されていて、天板１２を外筐体１０の上部に固定したときには、平面から見て天板１２はコの字形に組立てられた一対の側面板１４、１４と矩形の背面板１６よりも一回り大きく形成されている。
なお、本実施例では、天板１２を外筐体１０の上部に固定する方法として、上述した構成に拠っているが、他の例としては、側面板後半部１４１の上端に穿設した螺入穴に天板後半部１２１に貫設した挿入孔からボルトを挿入させて該螺入穴に螺入し、天板１２を外筐体１０に螺着させることもできるとともに、天板１２の平面的な大きさについては、必ずしも、コの字形に組立てられた一対の側面板１４、１４と矩形の背面板１６よりも天板１２を一回り大きく形成させなくともよい。
【００３４】
また、天板前半部１２２の下面には角棒状の上掛け押え棒１２５が天板前半部１２２を横断するように外筐体１０の前面部に平行に設置されている。そして、上掛け押え棒１２５の両端部には上掛け押え棒移動ボルト１２６、１２６が取着されていて、上掛け押え棒移動ボルト１２６を左右に回動させることにより、上掛け押え棒１２５が天板前半部１２２の下面に対し平行に上下に移動するようになっていて、上掛け６０の表面に上掛け押え棒１２５を当接させて上掛け６０を固定するようになっている。
本実施例では、上掛け６０を暖房器付き机１に固定する方法として、上述した構成に拠っているが、他の例としては、上面挟入空間４２の背面板１６側に雌雄一対の係止具の一方を固着し、この係止具の一方に該係止具の他方を固着した上掛け６０を係止させて固定することもできる。また、雌雄一対の係止具としては、たとえば、スナップ、ホック、ボタンとボタンホール、または面ファスナーなどがある。
【００３５】
なお、ここにいう「天板前半部」とは、天板１２を背面板１６に平行に二分割したときの椅子に座った使用者に対面する部分をいい、「天板後半部」とは、天板１２を背面板１６に平行に二分割したときの背面板１６側の部分をいう。また、以下の説明で使用する「外筐体内の前半部」、「外筐体内の後半部」、「側面板の前半部」および「側面板の後半部」についても同様である。
【００３６】
なお、外筐体１０に対する天板１２の構成を、本実施例では着脱自在としているが、これ以外に、
（１）天板１２を外筐体１０に固着する、
（２）天板１２を外筐体１０の背面板１６側上部に軸着、枢着あるいは蝶着させて上下方向に回動自在にする、
（３）天板１２を前半部と後半部とに二分割し、二分割した繋ぎ目部分を外筐体１０に軸着等させて天板１２の前半部および／または天板１２の後半部を回動自在にする、
ように構成することもできる。
【００３７】
垂直部材である側面板１４は矩形の側面板後半部１４１および矩形の側面板前半部１４２から構成され、側面板前半部１４２の一辺は側面板後半部１４１の一辺に蝶着されて左右方向に回動自在となっている。そして、側面板前半部１４２の高さ方向については、側面板前半部１４２の上辺の高さは側面板後半部１４１の上辺の高さよりも低く形成され、側面板前半部１４２の下辺は床面と所定の間隙を有するように形成されている。
【００３８】
矩形の背面板１６は背面板本体１６１および背面板本体１６１の上部に位置する取外し自在部１６２から構成されていて、取外し自在部１６２は外筐体１０から取外しが自在な部材であり、取外し自在部１６２を取外すことにより、外筐体１０の上部に外筐体１０内と外部とが連通する空気貫通孔が形成されるようになっている。
また、矩形の底板１８は床面に接するように一対の側面板後半部１４１、１４１間に架設されている。
【００３９】
本実施例においては、一対の側面板後半部１４１、１４１および背面板本体１６１を断熱パネルとしているが、これに限定されるものではなく、
（１）一対の側面板１４の後半部、背面板１６、天板１２の後半部、底板１８および上面板３２の後半部の内のいずれか一つであっても良く、二つ以上であっても良く、さらには全てであっても良い。
（２）また、一対の側面板１４の前半部、背面板１６、天板１２の前半部および上面板３２の前半部を断熱パネルとしても良いことは勿論である。
なお、断熱パネルとは、外板、断熱材および内板からなる三層構造のパネルをいうが、ここでいう断熱材とは、たとえば、グラスウール、ガラス繊維等のような熱伝導率が低く不燃性のものをいう。また、請求項８に係る考案のように断熱パネルの内板を遮熱材で構成することもできるが、ここでいう遮熱材とは、輻射熱を反射する材料であって、たとえば、金属箔や遮熱塗料等がある。
【００４０】
内筐体３０は上面板３２および一対の側面内板３４、３４とから構成されていて、一対の側面内板３４の上部に上面板３２が架設された門型状に形成されている。そして、内筐体３０は外筐体１０内の前半部に設置されていて、側面から見て内筐体３０の前面は側面板前半部１４２の前端に略一致し、内筐体３０の後面が外筐体１０に固着され、上面板３２と天板１２とにより前面が開放された上面挟入空間４２が形成され、側面内板３４と側面板１４とにより前面が開放された側面挟入空間４４が形成されている。
さらに、上面板３２は外筐体１０の後半部まで延伸し一対の側面板１４、１４および背面板１６に密着している。なお、上面板３２については、側面内板３４に対応する部分を上面板３２の前半部といい、延伸した部分を上面板３２の後半部という。そして、上面板３２の後半部の前面側および背面板側には一対の側面板後半部１４１、１４１を繋ぐように横架材３２１、３２１が架設されていて、上面板３２の後半部の横架材３２１、３２１および側面板後半部１４１、１４１で囲繞された部分を収納スペースとして利用することもできる。また、必ずしも、上面板３２の前半部と上面板３２の後半部の高さは一致する必要はなく、上面板３２の前半部と上面板３２の後半部の境目で段差が生じても良い。
なお、「実用新案登録請求の範囲」に記載する天板および一対の側面板に対する「所定の離間距離」とは、上掛け６０が挟入されるに十分な間隙をいう。
【００４１】
暖房器５０は、外筐体１０内の後半部に位置する上面板３２の後半部の裏面に固着されていて、実施例では、テーブル式コタツ用のヒーターユニットが使用されているが、これに限定されるものではなく、たとえば、底板１８上に、ヒーターユニットやパネルヒータなどのような他の暖房器を設置しても良い。
また、上掛け６０は矩形の布団の他、保温性能に優れた毛布等のようなシート状のものを使用することができる。
【００４２】
つぎに、暖房器付き机１の使用例について説明する。暖房器付き机１は、以下の手順により上掛け６０をセットすることができる。すなわち、
（１）天板１２を取外した暖房器付き机１の側面板前半部１４２を左右に開いて内筐体３０を露出した状態にする。
（２）露出した内筐体３０の上面板３２および一対の側面内板３４、３４に上掛け６０の一辺を巻きつけ、裾部分を床に広げるように仮置きする。
（３）側面板前半部１４２、１４２を閉じて上掛け６０の一辺を挟み込む。このときに、閉じた側面板前半部１４２の下端からは、上掛け６０の裾部分がはみ出している。
（４）天板１２を外筐体１０に設置し、側面板押えボルト１２４、１２４、・・・を右に回動して側面板押えボルト１２４の先端を側面板１４の表面に当接させて固定する。なお、天板１２を外筐体１０に設置する際には、側面板前半部１４２の上部が側面板押え板１２３の内側に位置するようにする。そして、天板１２が外筐体１０に固定された後は、側面板前半部１４２の上端は側面板押え板１２３の下端よりも上に位置するため、側面板押え板１２３により側面板前半部１４２が開くことを防止することになる。
（５）その後、上掛け押え棒移動ボルト１２６、１２６を左右いずれかに回動して上掛け押え棒１２５を下げ、上掛け６０の表面に上掛け押え棒１２５を当接させて、上掛け６０を固定する。
【００４３】
上掛け６０がセットされた暖房器付き机１を使用する場合は、暖房器５０のスイッチをＯＮにして、暖房を入れ、椅子７０に腰掛けて椅子７０を暖房器付き机１方向に所望の位置までスライドさせれば良い。
また、請求項１０に記載の考案のように、一対の側面板１４、１４の下端にキャスターが取着されている場合には、椅子７０に腰掛けた後、椅子７０をスライドさせることなく、暖房器付き机１を前後方向に移動させることもできる。なお、ここにいう前後方向とは、外筐体１０の開放面側を「前」とし、背面板１６側を「後」とした場合の方向をいう。さらに、畳や絨毯等の床ではレールを敷いてそのレール上をキャスターが動くようにすることにより、床面を傷めることなく簡単に暖房器付き机１を移動させることもできる。
【００４４】
外筐体１０内は、暖房器５０により暖められるが、一対の側面板１４、１４および背面板１６が断熱パネルで構成され、外筐体１０の上部は上面板３２と天板後半部１２１との二層構造であり、内筐体３０の上面、左右側面および前面が上掛け６０で被包されるので、使用者の下半身を密着して覆うことになり、一度暖められた外筐体１０内の空気は外部に漏れることがなく、外筐体１０内の空気は冷めにくくなる。
【００４５】
暖房器５０を使用しない夏場等に暖房器付き机１を書斎机として使用する場合には、背面板１６から取外し自在部１６２を取外した後、側面板前半部１４２、１４２を閉じた状態で、天板１２を外筐体１０に設置し、側面板押えボルト１２４、１２４、・・・を左右いずれかに回動して側面板押えボルト１２４の先端を側面板１４の表面に当接させて固定する。
このように暖房器付き机１を組立てることにより、背面板１６の上部には外部に開口する空気貫通孔が形成され、外筐体１０内の空気が暖房器付き机１の外部と連通するので蒸れることがなく、通常の書斎机として使用することができる。
【００４６】
なお、使用者の低温火傷や外筐体１０内の暖気溜りを防止するために、温度センサーと温度表示機からなる温度計の温度センサーを外筐体内に取付け、温度表示機を天板１２上に設置し、外筐体１０内の温度により、必要に応じて外筐体１０内に設置した送風機を稼動して外筐体１０内の温度を下げるようにすることもできる。
【図面の簡単な説明】
【００４７】
【図１】図１は、実施例に係る暖房器付き机の全体図および使用状況図である。
【図２】図２は、実施例に係る暖房器付き机の側面図である。
【図３】図３は、実施例に係る暖房器付き机の前面図である。
【図４】図４は、図１のIV−IV矢視断面図である。
【図５】図５は、図１のＶ−Ｖ矢視断面図である。
【符号の説明】
【００４８】
１  実施例に係る暖房器付き机
１０  外筐体
１２  天板
１２１  天板後半部
１２２  天板前半部
１２４  側面板押え具
１２５  上掛け押え棒
１４  側面板
１４１  側面板後半部
１４２  側面板前半部
１６  背面板
１８  底板
３０  内筐体
３２  上面板
３４  側面内板
４２  上面挟入空間
４４  側面挟入空間
５０  暖房器
６０  上掛け
７０  椅子
【図１】
0003127208.tif 000003
【図２】
0003127208.tif 000004
【図３】
0003127208.tif 000005
【図４】
0003127208.tif 000006
【図５】
0003127208.tif 000007